(57)【要約】【課題】レンズ保持部材を駆動するための推力を向上させたレンズ駆動装置を提供することを目的とする。【解決手段】レンズ駆動装置１０１は、複数の角部を有する筒状の外壁部１４Ａを有したヨーク１４と、ヨーク１４の複数の角部における内側にそれぞれ配置される複数の磁石１５と、ヨーク１４の内側に配設されレンズ体を保持可能な筒状のレンズ保持部材１２と、レンズ保持部材１２の周囲に環状に巻かれたコイル１３と、レンズ保持部材１２を光軸方向へ移動可能に支持する弾性部材１６と、を備え、角部における外壁部１４Ａと磁石１５との間に隙間ＳＭを有し、隙間ＳＭに磁性体を混入させた接着材Ａ７が充填されており、接着材Ａ７によって、磁石１５が外壁部１４Ａの内側面１４ｐに接着固定されていることを特徴とする。【選択図】図９
2014228650.tif 000002
【特許請求の範囲】
【請求項１】
複数の角部を有する筒状の外壁部を有したヨークと、
該ヨークの前記複数の角部における内側にそれぞれ配置される複数の磁石と、
前記ヨークの内側に配設されレンズ体を保持可能な筒状のレンズ保持部材と、
該レンズ保持部材の周囲に環状に巻かれたコイルと、
前記レンズ保持部材を光軸方向へ移動可能に支持する弾性部材と、を備えたレンズ駆動装置において、
前記角部における前記外壁部と前記磁石との間に隙間を有し、
該隙間に磁性体を混入させた接着材が充填されており、前記接着材によって、前記磁石が前記外壁部の内側面に接着固定されていることを特徴とするレンズ駆動装置。
【請求項２】
前記磁性体が、鉄の粉体であることを特徴とする請求項１に記載のレンズ駆動装置。
【請求項３】
前記ヨークは、前記外壁部の上端と連続して設けられ開口部を有する天井部と、前記天井部の一部から下方に延設された複数の内ヨークと、を有し、
前記内ヨークは、前記コイルを挟んで前記複数の磁石にそれぞれ対向配置されることを特徴とする請求項１または請求項２に記載のレンズ駆動装置。
【発明の詳細な説明】
【技術分野】
【０００１】
本発明は、例えばカメラ付き携帯機器に搭載されるレンズ駆動装置に関する。
【背景技術】
【０００２】
近年、携帯電話に代表される携帯機器にカメラ機構が搭載されているのは一般的となってきた。そして、この小型の携帯機器に搭載されるカメラ機構の主要部品であるレンズ駆動装置には、小型化の要求に加え、精度良くレンズ体を駆動させるという要求が高まってきた。この２つの要求を満たすべきレンズ駆動装置として、レンズホルダを駆動するための磁気回路をレンズホルダの四方に設けたものが良く知られている。
【０００３】
上述したレンズ駆動装置として、特許文献１（従来例）では、図２１及び図２２に示すようなレンズ駆動装置９００が提案されている。図２１は、従来例のレンズ駆動装置９００を説明する分解斜視図である。図２２は、従来例のレンズ駆動装置９００を説明する図であって、図２２（ａ）は、外観を示す斜視図であり、図２２（ｂ）は、図２２（ａ）に示すＺ２側から見た底面図で、ベース部材９０１、レンズ保持体（レンズ保持部材）９０３、コイル９０４、下側板ばね９０６及びスペーサ部材９０９を省略した図である。
【０００４】
図２１及び図２２（ａ）に示すレンズ駆動装置９００は、金属板部材を埋設したベース部材９０１と、図示しないレンズ体を保持可能なレンズ保持体９０３と、金属線材が巻回されたコイル９０４と、４つの磁石９０５と、レンズ保持体９０３の下方（図２１に示すＺ２側）に配設された下側板ばね（弾性部材）９０６と、レンズ保持体９０３の上方（図２１に示すＺ１側）に配設された上側板ばね（弾性部材）９０７と、金属板材からなるヨーク９０８と、環状に形成されたスペーサ部材９０９と、を備えて構成されている。
【０００５】
そして、レンズ駆動装置９００は、図示しないレンズ体をレンズ保持体９０３に保持し、図示しない撮像素子を実装した基板上に取り付けられ、撮像素子に対して、レンズ体に保持されたレンズを光軸方向（図２２（ａ）に示すＺ方向）に駆動させ、焦点距離を調整することができる。その際には、ヨーク９０８の四隅に配置された４つの磁石９０５（図２２（ｂ）を参照）とコイル９０４とヨーク９０８とで磁気回路を形成し、コイル９０４に通電して生じる電磁力により、レンズ保持体９０３を光軸方向に沿って移動させている。
【先行技術文献】
【特許文献】
【０００６】
【特許文献１】実用新案登録第３１７９６３４号公報
【発明の概要】
【発明が解決しようとする課題】
【０００７】
しかしながら、磁石９０５とヨーク９０８の内側面９０８ｐとを密着させるために、図２２（ｂ）に示すように、ヨーク９０８の四隅の角部で磁石９０５との間にギャップＧＰを設けている。このため、このギャップＧＰの部分の磁界の流れが滞るのに伴って磁気ロスが発生し、磁気回路における磁束密度が低くなり、レンズ保持体９０３を駆動させる推力が弱くなる。今後、適用される製品の小型化が益々推し進められる中で、レンズ駆動装置の小型化を図りつつ、少しでもこの推力を確保しなければいけないと言う課題があった。
【０００８】
本発明は、上述した課題を解決するもので、レンズ保持部材を駆動するための推力を向上させたレンズ駆動装置を提供することを目的とする。
【課題を解決するための手段】
【０００９】
この課題を解決するために、本発明のレンズ駆動装置は、複数の角部を有する筒状の外壁部を有したヨークと、該ヨークの前記複数の角部における内側にそれぞれ配置される複数の磁石と、前記ヨークの内側に配設されレンズ体を保持可能な筒状のレンズ保持部材と、該レンズ保持部材の周囲に環状に巻かれたコイルと、前記レンズ保持部材を光軸方向へ移動可能に支持する弾性部材と、を備えたレンズ駆動装置において、前記角部における前記外壁部と前記磁石との間に隙間を有し、該隙間に磁性体を混入させた接着材が充填されており、前記接着材によって、前記磁石が前記外壁部の内側面に接着固定されていることを特徴としている。
【００１０】
これによれば、本発明のレンズ駆動装置は、ヨークの角部における外壁部、隙間、磁石、コイルと流れる磁界の流れ（磁路）において、その隙間の部分の磁界の流れが滞ることがなく、磁気ロスの発生を抑制することができる。このことにより、磁気回路における磁束密度が向上し、レンズ保持部材を駆動するための推力を向上させることができる。
【００１１】
また、本発明のレンズ駆動装置は、前記磁性体が鉄の粉体であることを特徴としている。
【００１２】
これによれば、磁性体が透磁率の高い鉄であるので、磁性体を混入させた接着材の層の透磁率が高くなる。このことにより、磁気回路における磁束密度をより向上させ、レンズ保持部材を駆動するための推力をより向上させることができる。
【００１３】
また、本発明のレンズ駆動装置は、前記ヨークが、前記外壁部の上端と連続して設けられ開口部を有する天井部と、前記天井部の一部から下方に延設された複数の内ヨークと、を有し、前記内ヨークが、前記コイルを挟んで前記複数の磁石にそれぞれ対向配置されることを特徴としている。
【００１４】
これによれば、内ヨークがコイルを挟んで複数の磁石にそれぞれ対向配置されるので、ヨークの外壁部、磁石、コイル、内ヨーク、天井部と流れる磁界の流れ（磁路）が形成される。このことにより、コイルと交わる磁界の向きが定まり、安定した推力を得ることができ、レンズ保持部材を安定して駆動することができる。
【発明の効果】
【００１５】
本発明のレンズ駆動装置は、ヨークの角部における外壁部、隙間、磁石、コイルと流れる磁界の流れ（磁路）において、その隙間の部分の磁界の流れが滞ることがなく、磁気ロスの発生を抑制することができる。このことにより、磁気回路における磁束密度が向上し、レンズ保持部材を駆動するための推力を向上させることができる。
【図面の簡単な説明】
【００１６】
【図１】本発明の第１実施形態のレンズ駆動装置を説明する分解斜視図である。
【図２】本発明の第１実施形態のレンズ駆動装置を説明する図であって、図２（ａ）は、レンズ駆動装置の斜視図であり、図２（ｂ）は、図２（ａ）に示すＹ２側から見た正面図である。
【図３】本発明の第１実施形態のレンズ駆動装置を説明する図であって、図３（ａ）は、図２（ａ）に示すＺ１側から見た上面図であり、図３（ｂ）は、図２（ａ）に示すＺ２側から見た底面図である。
【図４】本発明の第１実施形態のレンズ駆動装置を説明する斜視図であって、図４（ａ）は、図２に示す斜視図においてトップカバーを省略した図であり、図４（ｂ）は、図４（ａ）に示す斜視図において上側板ばねとヨークを省略した図である。
【図５】本発明の第１実施形態のレンズ駆動装置を説明する図であり、図５（ａ）は、図３（ｂ）に示す底面図においてベース部材を省略した底面図であり、図５（ｂ）は、図５（ａ）に示す底面図において下側板ばねとレンズ保持部材を省略した底面図である。
【図６】本発明の第１実施形態のレンズ駆動装置を説明する図であって、図６（ａ）は、レンズ保持部材の斜視図であり、図６（ｂ）は、レンズ保持部材にコイルが巻回された斜視図である。
【図７】本発明の第１実施形態のレンズ駆動装置を説明する図であって、図７（ａ）は、図２（ａ）に示すＺ２側から見たヨークの底面図であり、図７（ｂ）は、図２（ａ）に示すＺ２側から見たヨークの斜視図である。
【図８】本発明の第１実施形態のレンズ駆動装置を説明する図であって、図３（ａ）に示すＶＩＩＩ−ＶＩＩＩ線における断面図である。
【図９】本発明の第１実施形態のレンズ駆動装置を説明する図であって、図８に示すＰ部分の拡大断面図である。
【図１０】本発明の第１実施形態のレンズ駆動装置における弾性部材を説明する図であって、図１０（ａ）は、図１に示すＺ１側から見た上側板ばねの上面図であり、図１０（ｂ）は、図１に示すＺ１側から見た下側板ばねの上面図である。
【図１１】本発明の第１実施形態のレンズ駆動装置を説明する図であって、図１１（ａ）は、ベース部材の斜視図であり、図１１（ｂ）は、ベース部材に下側板ばねを組み付けた状態の斜視図である。
【図１２】本発明の第１実施形態のレンズ駆動装置におけるトップカバーを説明する図であって、図１２（ａ）は、図１に示すＺ１側から見た上面斜視図であり、図１２（ｂ）は、図１に示すＺ２側から見た底面斜視図である。
【図１３】本発明の第１実施形態のレンズ駆動装置を説明する図であって、図３に示すＸＩＩＩ−ＸＩＩＩ線における断面図である。
【図１４】本発明の第１実施形態のレンズ駆動装置を説明する図であって、図１３に示すＱ部分の拡大断面図である。
【図１５】本発明の第１実施形態のレンズ駆動装置を説明する図であって、図３に示すＸＶ−ＸＶ線における断面図である。
【図１６】本発明の第１実施形態のレンズ駆動装置を説明する図であって、図１５に示すＲ部分の拡大断面図である。
【図１７】本発明の第１実施形態のレンズ駆動装置を説明する図であって、図３に示すＸＶＩＩ−ＸＶＩＩ線における断面図である。
【図１８】本発明の第１実施形態のレンズ駆動装置を説明する図であって、図１７に示すＳ部分の拡大断面図である。
【図１９】本発明の第１実施形態のレンズ駆動装置において、ベース部材にレンズ保持部材が載置された状態を示した図であって、図１９（ａ）は、図２（ａ）に示すＸ１側から見た側面図であり、図１９（ｂ）は、図２（ａ）に示す紙面手前の角部側から見た斜方側面図の一部を拡大した図である。
【図２０】本発明の第１実施形態のレンズ駆動装置を説明する図であって、図４（ａ）に示すＴ部分の拡大斜視図である。
【図２１】従来例のレンズ駆動装置９００を説明する分解斜視図である。
【図２２】従来例のレンズ駆動装置９００を説明する図であって、図２２（ａ）は、外観を示す斜視図であり、図２２（ｂ）は、図２２（ａ）に示すＺ２側から見た底面図で、ベース部材９０１、レンズ保持体（レンズ保持部材）９０３、コイル９０４、下側板ばね９０６及びスペーサ部材９０９を省略した図である。
【発明を実施するための形態】
【００１７】
以下、本発明の実施の形態について図面を参照して説明する。
【００１８】
［第１実施形態］
図１は、本発明の第１実施形態のレンズ駆動装置１０１を説明する分解斜視図である。図２は、本発明の第１実施形態のレンズ駆動装置１０１を説明する図であって、図２（ａ）は、レンズ駆動装置１０１の斜視図であり、図２（ｂ）は、図２（ａ）に示すＹ２側から見た正面図である。図３は、本発明の第１実施形態のレンズ駆動装置１０１を説明する図であって、図３（ａ）は、図２（ａ）に示すＺ１側から見た上面図であり、図３（ｂ）は、図２（ａ）に示すＺ２側から見た底面図である。なお、説明を容易にするため、図１の磁石１５は、接着材Ａ７が塗布されている状態を示しており、接着材Ａ７は、ハッチングで示している。
【００１９】
本発明の第１実施形態のレンズ駆動装置１０１は、図１ないし図３に示すように、レンズ体（図示していない）を保持可能な筒状のレンズ保持部材１２と、レンズ保持部材１２の周囲に環状に巻かれたコイル１３と、複数の角部を有する筒状の外壁部１４Ａを有したヨーク１４と、ヨーク１４の内側にそれぞれ配置される複数の磁石１５と、レンズ保持部材１２を光軸方向へ移動可能に支持する弾性部材１６と、を備えて構成される。更に、弾性部材１６（１６Ａ）の上方に配設されたトップカバー１９と、端子７が埋め込まれたベース部材１８と、を備えている。また、弾性部材１６は、ヨーク１４の上部とレンズ保持部材１２の上部に固定される上側板ばね１６Ａと、レンズ保持部材１２の下部に固定される２つの下側板ばね（１６Ｃ、１６Ｅ）と、を備えて構成される。
【００２０】
そして、レンズ駆動装置１０１は、図示しないレンズ体をレンズ保持部材１２に保持し、図示しない撮像素子を実装した基板上に取り付けられる。そして、撮像素子に対して、レンズ体に保持されたレンズを光軸方向（図２（ａ）に示すＺ方向）に駆動させて焦点距離を調整するために、電源よりコイル１３に通電して、通電で生じる電磁力により、レンズ保持部材１２を光軸方向に沿って移動させるものである。
【００２１】
次に、各構成部品について説明する。図４は、本発明の第１実施形態のレンズ駆動装置１０１を説明する斜視図であって、図４（ａ）は、図２に示す斜視図においてトップカバー１９を省略した図であり、図４（ｂ）は、図４（ａ）に示す斜視図において上側板ばね１６Ａとヨーク１４を省略した図である。図５は、本発明の第１実施形態のレンズ駆動装置を説明する図であり、図５（ａ）は、図３（ｂ）に示す底面図においてベース部材１８を省略した底面図であり、図５（ｂ）は、図５（ａ）に示す底面図において下側板ばね（１６Ｃ、１６Ｅ）とレンズ保持部材１２を省略した底面図である。図６は、本発明の第１実施形態のレンズ駆動装置を説明する図であって、図６（ａ）は、レンズ保持部材１２の斜視図であり、図６（ｂ）は、レンズ保持部材１２にコイル１３が巻回された斜視図である。図７は、本発明の第１実施形態のレンズ駆動装置を説明する図であって、図７（ａ）は、図２（ａ）に示すＺ２側から見たヨーク１４の底面図であり、図７（ｂ）は、図２（ａ）に示すＺ２側から見たヨーク１４の斜視図である。図８は、本発明の第１実施形態のレンズ駆動装置１０１を説明する図であって、図３（ａ）に示すＶＩＩＩ−ＶＩＩＩ線における断面図である。この図８の断面図は、レンズ保持部材１２が最も下方（図８に示すＺ２方向）に配設された時の状態を示している。図９は、本発明の第１実施形態のレンズ駆動装置を説明する図であって、図８に示すＰ部分の拡大断面図である。なお、説明を容易にするため、図４（ｂ）の磁石１５は、接着材Ａ７が塗布されている状態を示しており、接着材Ａ７は、ハッチングで示している。また、図９にも、磁石１５とヨーク１４の外壁部１４Ａとの隙間ＳＭ及び磁石１５とヨーク１４の天井部１４Ｂとの間に、接着材Ａ７が充填されている状態を示しており、同様に、接着材Ａ７は、ハッチングで示している。
【００２２】
レンズ保持部材１２は、液晶ポリマー（ＬＣＰ、Liquid Crystal Polymer）を用い、図１、図４及び図６に示すように、筒状に形成されており、円形の外周面及び内周面を有する筒部１２ｓと、筒部１２ｓの下端（図６に示すＺ２側）の外周面から径方向外側に突出した鍔部１２ｖとから構成され、ベース部材１８の上方で、ヨーク１４の内側に配設されている。また、筒部１２ｓの内周面には、雌ねじ部１２ｎが形成されており、この雌ねじ部１２ｎに図示しないレンズ体が装着されて、保持される。
【００２３】
また、図６に示すように、筒部１２ｓの外周面には、コイル１３を内側から支持するコイル支持部１２ｊが均等に４箇所設けられ、コイル支持部１２ｊの一端側には、鍔部１２ｖと対向して径方向外側に突出した庇部１２ｈが形成されている。また、庇部１２ｈの更に上方の筒部１２ｓの外周面には、台座部１２ｄが４箇所、対角線上に対向して形成され、この台座部１２ｄと上側板ばね１６Ａとが接着剤で固定される。
【００２４】
また、レンズ保持部材１２の底面には、図５（ａ）に示すように、下方（図５（ａ）の紙面の手前側）に突出する円柱状の凸設部１２ｔが６箇所（１２ｔ１、１２ｔ２、１２ｔ３、１２ｔ４、１２ｔ５、１２ｔ６）設けられ、２つの下側板ばね（１６Ｃ、１６Ｅ）と係合している。更に、レンズ保持部材１２の底面には、図５（ａ）に示すように、下方（図５（ａ）の紙面の手前側）に突出する矩形の突部１２ｆが２箇所（１２ｆ１、１２ｆ２）設けられているとともに、円柱状の凸部１２ｇが２箇所（１２ｇ１、１２ｇ２）設けられている。そして、突部１２ｆ２と２つの凸部１２ｇ（１２ｇ１、１２ｇ２）とで、３角形になるように配置されている。
【００２５】
コイル１３は、図１、図４（ｂ）及び図５（ｂ）に示すように、環状形状で８角形状の角度を有して導線を巻回して形成されている。この８角形状の内で、対向し合う４辺は、円弧状に曲げられて形成され、他の対向する４辺は直線状に形成されている。また、コイル１３は、図４（ｂ）及び図６（ｂ）に示すように、レンズ保持部材１２の筒部１２ｓの周囲を囲む位置に配設され、コイル支持部１２ｊにより内側から支持された状態で、コイル１３の一部が庇部１２ｈと鍔部１２ｖに挟まれるようにして、鍔部１２ｖの上面に固定されている。コイル支持部１２ｊと当接している部分は、直線状の４辺である。そして、コイル１３の内周面１３ｐがコイル支持部１２ｊにより等方的にバランス良く支持されるため、コイル１３の中心軸とレンズ保持部材１２の中心軸とが一致した状態でレンズ保持部材１２に保持される。これにより、レンズ保持部材１２の雌ねじ部１２ｎにより保持されたレンズの中心軸とレンズ体の光軸とを容易に一致させ易くなる。
【００２６】
ヨーク１４は、図１ないし図５（図４（ｂ）は除く）、及び図７に示すように、外形が箱状に形成されてケースを構成しており、レンズ保持部材１２、コイル１３、磁石１５、弾性部材１６を覆うようにして、それら部材を図７に示す収容部１４ｓに収容している。そして、ヨーク１４は、ベース部材１８に係合され、ベース部材１８と一体化されている。また、ケース状のヨーク１４は、図７に示すように、筒状の外壁部１４Ａと、外壁部１４Ａの上端（図１１に示すＺ１側）と連続して設けられた平板状の天井部１４Ｂと、天井部１４Ｂに形成された開口部１４ｋの一部から下方（図２に示すＺ２方向）に延設された４つの内ヨーク１４Ｃと、を有して構成されている。
【００２７】
また、外壁部１４Ａは、図３、図５及び図７（ａ）に示すように、平面視して、矩形状をしており、内ヨーク１４Ｃは、図５（ｂ）及び図７（ａ）に示すように、平面視して、円弧状に形成され、外壁部１４Ａの４つの角部に対向するように、等間隔で配設されている。
【００２８】
また、レンズ駆動装置１０１が組み立てられた際に、内ヨーク１４Ｃのそれぞれは、レンズ保持部材１２の筒部１２ｓの外周面に沿って配設されるとともに、図５（ｂ）、図８及び図９に示すように、コイル１３の内周面１３ｐと対向して配設される。更に、内ヨーク１４Ｃのそれぞれは、コイル１３を挟んで、磁石１５のそれぞれと対向する位置に対向配置されている。なお、ヨーク１４を絞り加工で作製する際には、ヨーク１４の内ヨーク１４Ｃが円弧状であるので、容易に絞り加工を行うことができる。このため、ヨーク１４の内ヨーク１４Ｃの形状及び配設の位置の精度を高めることができる。
【００２９】
磁石１５は、図１に示すように、横断面形状が台形形状で、平板状の外形をしており、４つの磁石１５（１５Ａ、１５Ｂ、１５Ｃ、１５Ｄ）が、図４（ｂ）、図５（ｂ）、図８及び図９に示すように、コイル１３の外側に位置するとともに、コイル１３を挟んでヨーク１４の４つの内ヨーク１４Ｃにそれぞれ対向配置されて、ヨーク１４の四隅に等分に配設されている。
【００３０】
また、磁石１５の台形形状における傾斜する２つの外側面１５ｖは、外壁部１４Ａに沿った形状をしている。このため、レンズ駆動装置１０１を組み立てる際に、この２つの外側面１５ｖを外壁部１４Ａの内側面１４ｐに押しあてて、ヨーク１４の複数の角部における内側にそれぞれ配置することができ、磁石１５の位置決めを容易に行うことができる。
【００３１】
また、レンズ駆動装置１０１が組み立てられた際に、図５（ｂ）、図８及び図９に示すように、ヨーク１４の四隅の角部における外壁部１４Ａと磁石１５との間に隙間ＳＭを有している。そして、この隙間ＳＭに接着材Ａ７が充填されており、この接着材Ａ７によって、磁石１５が外壁部１４Ａの内側面１４ｐに接着固定されている。
【００３２】
ここで用いられる接着材Ａ７は、合成樹脂のマトリックス中に磁性体が分散、混入しているものである。これにより、ヨーク１４の角部における外壁部１４Ａ、隙間ＳＭ、磁石１５、コイル１３と流れる磁界の流れ（磁路）において、その隙間ＳＭの部分の磁界の流れが滞ることがなく、磁気ロスの発生を抑制することができる。このことにより、磁気回路における磁束密度を向上させることができる。
【００３３】
また、本発明の第１実施形態では、磁性体として、鉄の粉体を用いている。これにより、鉄が透磁率の高い材料であるので、磁性体を混入させた接着材Ａ７の層の透磁率が高くなる。このことにより、磁気回路における磁束密度をより向上させることができる。
【００３４】
また、本発明の第１実施形態では、上述したように、ヨーク１４には、内ヨーク１４Ｃを有しており、内ヨーク１４Ｃがコイル１３を挟んで複数の磁石１５にそれぞれ対向配置されている。このため、ヨーク１４の外壁部１４Ａ、磁石１５、コイル１３、内ヨーク１４Ｃ、天井部１４Ｂと流れる磁界の流れ（磁路）が形成される。このことにより、コイル１３と交わる磁界の向きが定まり、安定した推力を得ることができる。
【００３５】
また、ヨーク１４に内ヨーク１４Ｃを設けることで、磁気回路における磁束密度を向上させることができ、レンズ保持部材１２を駆動するための推力を向上させることができる。一方、同じ推力を得るために磁石１５のサイズを大きくする必要がなく、所望の推力が得られるレンズ駆動装置１０１をより軽くすることができる。
【００３６】
次に、他の構成部品について引き続き説明する。図１０は、本発明の第１実施形態のレンズ駆動装置における弾性部材１６を説明する図であって、図１０（ａ）は、図１に示すＺ１側から見た上側板ばね１６Ａの上面図であり、図１０（ｂ）は、図１に示すＺ１側から見た下側板ばね（１６Ｃ、１６Ｅ）の上面図である。図１１は、本発明の第１実施形態のレンズ駆動装置を説明する図であって、図１１（ａ）は、ベース部材１８の斜視図であり、図１１（ｂ）は、ベース部材１８に下側板ばね（１６Ｃ、１６Ｅ）を組み付けた状態の斜視図である。図１２は、本発明の第１実施形態のレンズ駆動装置におけるトップカバー１９を説明する図であって、図１２（ａ）は、図１に示すＺ１側から見た上面斜視図であり、図１２（ｂ）は、図１に示すＺ２側から見た底面斜視図である。
【００３７】
弾性部材１６は、銅合金からなる板を加工して作製され、図３（ａ）に示すように、レンズ保持部材１２の筒部１２ｓの内周面よりも大径な開口を有し、図１及び図４（ａ）に示すように、ヨーク１４とトップカバー１９との間に配設される上側板ばね１６Ａと、図１及び図１１（ｂ）に示すように、レンズ保持部材１２とベース部材１８との間に配設されベース部材１８に載置される２枚の下側板ばね１６Ｃ及び下側板ばね１６Ｅと、から構成される。そして、レンズ保持部材１２と弾性部材１６のそれぞれ（１６Ａ、１６Ｃ、１６Ｅ）が係合され、レンズ保持部材１２が光軸方向（図２に示すＺ方向）へ移動可能になるように、レンズ保持部材１２を空中で支持している。
【００３８】
弾性部材１６の上側板ばね１６Ａは、図１０（ａ）に示すように、矩形状をしており、レンズ保持部材１２に固定される第１部分１６ａが４箇所と、ヨーク１４側に固定される第２部分１６ｂが４箇所と、第１部分１６ａと第２部分１６ｂとの間に位置する弾性腕部１６ｐが４箇所と、４箇所の第１部分１６ａのそれぞれを繋ぎ弾性腕部１６ｐの一端と接続している桟部１６ｄと、４箇所の第２部分１６ｂ同士を繋ぐ固定連結部１６ｅと、を有している。
【００３９】
この上側板ばね１６Ａがレンズ駆動装置１０１に組み込まれた際には、図４（ａ）に示すように、ヨーク１４上に載置され、上側板ばね１６Ａの第２部分１６ｂがヨーク１４の角部に当接し、図１０（ａ）に示す第２部分１６ｂの貫通穴１６ｆと図７に示すヨーク１４の貫通穴１４ｆとが重なり合うようになる。また、図１０（ａ）に示す上側板ばね１６Ａの第１部分１６ａが、レンズ保持部材１２の台座部１２ｄに載置されるようになる。そして、上側板ばね１６Ａの第１部分１６ａと台座部１２ｄとが接着剤で固定される。
【００４０】
弾性部材１６の下側板ばね１６Ｃは、図１０（ｂ）に示すように、内側形状が半月形状をしており、レンズ保持部材１２と係合される第１部分１６ｈが３箇所と、ベース部材１８と係合される第２部分１６ｉが２箇所と、第１部分１６ｈと第２部分１６ｉとの間に位置する弾性腕部１６ｑが２箇所と、３箇所の第１部分１６ｈのそれぞれを繋ぐ第１固定連結部１６ｇと、２箇所の第２部分１６ｉを繋ぐ第２固定連結部１６ｊと、を有している。
【００４１】
この下側板ばね１６Ｃがレンズ駆動装置１０１に組み込まれた際には、図５（ａ）に示すように、レンズ保持部材１２の３つの凸設部１２ｔ（１２ｔ１、１２ｔ２、１２ｔ３）が、図１０（ｂ）に示す第１部分１６ｈの貫通孔１６ｋの３箇所に挿通されて嵌合し、レンズ保持部材１２に位置決めされ固定される。また、この凸設部１２ｔ（１２ｔ１、１２ｔ２、１２ｔ３）を用いて、熱かしめを行うことにより、より確実に下側板ばね１６Ｃをレンズ保持部材１２に固定することができる。
【００４２】
また、下側板ばね１６Ｃがレンズ駆動装置１０１に組み込まれた際には、図１０（ｂ）に示す第２部分１６ｉの貫通孔１６ｍの２つは、図１１（ｂ）に示すように、ベース部材１８の上面に設けられ上方に向けて突出する２つの突設部１８ｔ（１８ｔ１、１８ｔ２）と勘合し、ベース部材１８に位置決めされ固定される。
【００４３】
弾性部材１６の下側板ばね１６Ｅは、下側板ばね１６Ｃと同様に、図１０（ｂ）に示すように、内側形状が半月形状をしており、レンズ保持部材１２に固定される第１部分１６ｖが３箇所と、ベース部材１８に固定される第２部分１６ｗが２箇所と、第１部分１６ｖと第２部分１６ｗとの間に位置する弾性腕部１６ｒが２箇所と、３箇所の第１部分１６ｖのそれぞれを繋ぐ第１固定連結部１６ｘと、２箇所の第２部分１６ｗを繋ぐ第２固定連結部１６ｙと、を有している。
【００４４】
この下側板ばね１６Ｅがレンズ駆動装置１０１に組み込まれた際には、図５（ａ）に示すように、レンズ保持部材１２の３つの凸設部１２ｔ（１２ｔ４、１２ｔ５、１２ｔ６）が、図１０（ｂ）に示す第１部分１６ｖの貫通孔１６ｚの３箇所に挿通されて嵌合し、レンズ保持部材１２に位置決めされ固定される。また、下側板ばね１６Ｃと同様に、この凸設部１２ｔ（１２ｔ４、１２ｔ５、１２ｔ６）を用いて、熱かしめを行うことにより、より確実に下側板ばね１６Ｃをレンズ保持部材１２に固定することができる。
【００４５】
また、下側板ばね１６Ｅがレンズ駆動装置１０１に組み込まれた際には、下側板ばね１６Ｃと同様に、図１０（ｂ）に示す第２部分１６ｗの貫通孔１６ｎの２つは、図１１（ｂ）に示すように、ベース部材１８の上面に設けられ上方に向けて突出する２つの突設部１８ｔ（１８ｔ３、１８ｔ４）と勘合し、ベース部材１８に位置決めされ固定される。
【００４６】
また、下側板ばね１６Ｃと下側板ばね１６Ｅとは、図１０（ｂ）に示すように、ほぼ点対称の形状にしており、第１部分１６ｈの３箇所と第１部分１６ｖの３箇所で、レンズ保持部材１２に対して均等な位置で接続され、第２部分１６ｉの２箇所と第２部分１６ｗの２箇所で、ベース部材１８に対して均等な位置で接続される。これにより、レンズ保持部材１２をバランス良く空中で支持しすることができる。
【００４７】
また、下側板ばね１６Ｃは、図５（ａ）に示すように、コイル１３の一端側と電気的に接続されるとともに（図中に示すＣＮ１の部分）、下側板ばね１６Ｅは、図５（ａ）に示すように、コイル１３の他端側と電気的に接続されている（図中に示すＣＮ２の部分）。なお、コイル１３と下側板ばね（１６Ｃ、１６Ｅ）との接続は、はんだ等により容易に接続される。また、下側板ばね１６Ｃは、図１１（ｂ）に示す貫通孔１６ｓの部分で端子７Ｃと電気的に接続されるとともに、下側板ばね１６Ｅは、図１１（ｂ）に示す貫通孔１６ｔの部分で端子７Ｅと電気的に接続されている。これにより、この下側板ばね１６Ｃ及び下側板ばね１６Ｅを介して、コイル１３に電流を流すことができる。なお、下側板ばね（１６Ｃ、１６Ｅ）と端子７（７Ｃ、７Ｅ）との接続は、溶接等により容易に接続される。
【００４８】
トップカバー１９は、図１及び図１２に示すように、中央に矩形状の開口１９ｋを有した枠形の形状をしており、図２に示すように、上側板ばね１６Ａの上方（図２（ａ）に示すＺ１側）に配設されて、ヨーク１４の天井部１４Ｂとトップカバー１９とで上側板ばね１６Ａを挟持している。
【００４９】
また、トップカバー１９の下面側（図１に示すＺ２側の面）には、図１２（ｂ）に示すように、下方（図１２に示すＺ２方向）に向けて突出する凸部１９ｔが４箇所形成されているとともに、トップカバー１９の周囲から開口１９ｋにかけて落ち込んだ凹部１９ｒが形成されている。そして、トップカバー１９がレンズ駆動装置１０１に組み込まれた際には、この４箇所の凸部１９ｔが、前述した図１０（ａ）に示す第２部分１６ｂの貫通穴１６ｆと図７に示すヨーク１４の貫通穴１４ｆとに挿通され、トップカバー１９がヨーク１４に係合されるとともに、上側板ばね１６Ａを位置決めし固定する。また、この凹部１９ｒにより、上側板ばね１６Ａの弾性腕部１６ｐの変形を許容し、ひいてはレンズ保持部材１２の上方への移動を許容している。
【００５０】
最後に、ベース部材１８について詳細に説明する。図１３は、本発明の第１実施形態のレンズ駆動装置１０１を説明する図であって、図３に示すＸＩＩＩ−ＸＩＩＩ線における断面図である。図１４は、本発明の第１実施形態のレンズ駆動装置を説明する図であって、図１３に示すＱ部分の拡大断面図である。図１５は、本発明の第１実施形態のレンズ駆動装置１０１を説明する図であって、図３に示すＸＶ−ＸＶ線における断面図である。図１６は、本発明の第１実施形態のレンズ駆動装置を説明する図であって、図１５に示すＲ部分の拡大断面図である。図１７は、本発明の第１実施形態のレンズ駆動装置１０１を説明する図であって、図３に示すＸＶＩＩ−ＸＶＩＩ線における断面図である。図１８は、本発明の第１実施形態のレンズ駆動装置を説明する図であって、図１７に示すＳ部分の拡大断面図である。図１９は、本発明の第１実施形態のレンズ駆動装置において、ベース部材１８にレンズ保持部材１２が載置された状態を示した図であって、図１９（ａ）は、図２（ａ）に示すＸ１側から見た側面図であり、図１９（ｂ）は、図２（ａ）に示す紙面手前の角部側から見た斜方側面図の一部を拡大した図である。図２０は、本発明の第１実施形態のレンズ駆動装置を説明する図であって、図４（ａ）に示すＴ部分の拡大斜視図である。なお、説明を容易にするため、図４（ａ）におけるヨーク１４は省略している。
【００５１】
ベース部材１８は、レンズ保持部材１２と同じ液晶ポリマー（ＬＣＰ、Liquid Crystal Polymer）からなり、図１及び図１１（ａ）に示すように、外形が矩形の板状形状の基部１８ｂと、基部１８ｂの中央に形成された円形の開口１８ｋと、を有して構成されている。
【００５２】
また、ベース部材１８の基部１８ｂから上方（図１１（ａ）のＺ１方向）に延出して形成された台部１８ｄを有している。この台部１８ｄは、ヨーク１４の収容部１４ｓに収容されて、台部１８ｄの外周側面１８ｐとヨーク１４の内側面１４ｐとが当接するようになる。これにより、ヨーク１４とベース部材１８との位置決めが行われる。
【００５３】
また、台部１８ｄの上面には、上方に向けて突出する４つの突設部１８ｔ（１８ｔ１、１８ｔ２、１８ｔ３、１８ｔ４）が４隅に設けられているとともに、上方（図１１（ａ）のＺ１方向）に突出する角柱状の突部１８ｆが対向して２箇所（１８ｆ１、１８ｆ２）設けられている。また、円柱状の凸部１８ｇが対向して２箇所（１８ｇ１、１８ｇ２）設けられているとともに、上方（図１１（ａ）のＺ１方向）に突出する凸設部１８ｈが対向して２箇所（１８ｈ１、１８ｈ２）設けられている。そして、図１１に示すように、突部１８ｆ２と２つの凸部１８ｇ（１８ｇ１、１８ｇ２）とで、３角形配置になるように配設されているとともに、突部１８ｆ１と２つの凸設部１８ｈ（１８ｈ１、１８ｈ２）とで、３角形配置になるように配設されている。
【００５４】
そして、光軸方向へ移動可能なレンズ保持部材１２が最も下方（図１３に示すＺ２方向）に保持された際には、図１３ないし図１６に示すように、このベース部材１８の突部１８ｆ２と２つの凸部１８ｇ（１８ｇ１、１８ｇ２）の３箇所と、レンズ保持部材１２の突部１２ｆ２と２つの凸部１２ｇ（１２ｇ１、１２ｇ２）の３箇所とが、当接するようになる。これにより、ベース部材１８が、レンズ保持部材１２を３点でバランス良く支えることとなり、レンズ駆動装置１０１が落下等で衝撃を受けたとしても、その衝撃をバランス良く受けることができる。
【００５５】
更に、ベース部材１８にレンズ保持部材１２が載置された際に、図１５及び図１７ないし図１９に示すように、ベース部材１８の突部１８ｆ１とレンズ保持部材１２の突部１２ｆ１とがギャップＧＰを有して対向するとともに、ベース部材１８の２つの凸設部１８ｈ（１８ｈ１、１８ｈ２）とレンズ保持部材１２の底部１２ｐ（図５（ａ）に示す）とがギャップＧＰを有して対向している。これにより、レンズ駆動装置１０１が落下等で衝撃を受けて、ベース部材１８の突部１８ｆ２と２つの凸部１８ｇ（１８ｇ１、１８ｇ２）の３箇所で支えきれなくなっても、このベース部材１８の突部１８ｆ１と２つの凸設部１８ｈ（１８ｈ１、１８ｈ２）の３点で、レンズ保持部材１２をバランス良く支えることとなり、その衝撃をバランス良く受けることができる。
【００５６】
また、ベース部材１８には、図１及び図１１に示すように、銅や鉄若しくはそれらを主成分とした合金等の材質を用いた金属板からなる端子７が、インサート成形されて埋め込まれており（図１３を参照）、電気的に絶縁された２つの端子７（端子７Ｃ及び端子７Ｅ）のそれぞれは、図示していない撮像素子を実装した基板と電気的に接続され、電力を供給できるようになっている。そして、端子７の一方の端子７Ｃは、下側板ばね１６Ｃと電気的に接続されるとともに、端子７の他方の端子７Ｅは、下側板ばね１６Ｅと電気的に接続されており、この端子７Ｃ及び端子７Ｅから、下側板ばね１６Ｃ及び下側板ばね１６Ｅを介して、コイル１３に電流を流すことができる。
【００５７】
また、ベース部材１８には、図１及び図１１に示すように、銅や鉄若しくはそれらを主成分とした合金等の材質を用いた金属板からなる接続部材５７が、端子７と同様に、インサート成形されて埋め込まれており（図１５ないし図１８を参照）、接続部材５７の一部は、図２ないし図４に示すように、四隅に一部を露出している。そして、ヨーク１４の外壁部１４Ａの内側面１４ｐとベース部材１８の外周側面１８ｐが組み合わさって位置決めされた後に、ベース部材１８の接続部材５７とヨーク１４の四隅とのつなぎ目部分を４箇所溶接して、ヨーク１４をベース部材１８に固定している。これにより、ヨーク１４は、ベース部材１８と一体化される。また、ヨーク１４は、グラウンドに接地される。
【００５８】
また、本発明の第１実施形態では、図１９及び図２０に示すように、ベース部材１８の対向する端部側（図１１に示すＹ１側とＹ２側）には、傾斜部１８ｓが２箇所形成されている。但し、図２０では、Ｙ１側の傾斜部１８ｓは紙面の後ろ側になり、図示されていない。この傾斜部１８ｓを設けたことにより、図７に示すヨーク１４の開放側に形成された外壁部１４Ａの端部１４ｔが優先して傾斜部１８ｓに当接するようになる。このことにより、ヨーク１４の内側面１４ｐが台部１８ｄの外周側面１８ｐの所望しない場所に当たってずれることを防止でき、位置決め精度を向上させることができる。
【００５９】
以上のように構成されたレンズ駆動装置１０１は、図１２に示すトップカバー１９に上側板ばね１６Ａとヨーク１４を組み付けた後、レンズ保持部材１２、コイル１３、磁石１５、及び下側板ばね（１６Ｃ、１６Ｅ）を、順次、図７に示すヨーク１４の収容部１４ｓに収容するようにしている。更に、ベース部材１８をヨーク１４に組み付けてヨーク１４と一体化して、組み立てられている。
【００６０】
以上のように構成された本発明の第１実施形態のレンズ駆動装置１０１における、効果について、以下に説明する。
【００６１】
本発明の第１実施形態のレンズ駆動装置１０１は、ヨーク１４の角部における外壁部１４Ａと磁石１５との間に位置する隙間ＳＭに、磁性体を混ぜ込んだ接着材Ａ７が充填される。このため、ヨーク１４の角部における外壁部１４Ａ、隙間ＳＭ、磁石１５、コイル１３と流れる磁界の流れ（磁路）において、その隙間ＳＭの部分の磁界の流れが滞ることがなく、磁気ロスの発生を抑制することができる。このことにより、磁気回路における磁束密度が向上し、レンズ保持部材１２を駆動するための推力を向上させることができる。
【００６２】
また、磁性体が透磁率の高い鉄であるので、磁性体を混入させた接着材Ａ７の層の透磁率が高くなる。このことにより、磁気回路における磁束密度をより向上させ、レンズ保持部材１２を駆動するための推力をより向上させることができる。
【００６３】
また、内ヨーク１４Ｃがコイル１３を挟んで複数の磁石１５にそれぞれ対向配置されているので、ヨーク１４の外壁部１４Ａ、磁石１５、コイル１３、内ヨーク１４Ｃ、天井部１４Ｂと流れる磁界の流れ（磁路）が形成される。このことにより、コイル１３と交わる磁界の向きが定まり、安定した推力を得ることができ、レンズ保持部材１２を安定して駆動することができる。
【００６４】
また、ベース部材１８の突部１８ｆ１とレンズ保持部材１２の突部１２ｆ１とが隙間を有して対向するとともに、ベース部材１８の２つの凸設部１８ｈ（１８ｈ１、１８ｈ２）とレンズ保持部材１２の底部１２ｐとが隙間を有して対向している。これにより、レンズ駆動装置１０１が落下等で衝撃を受けて、ベース部材１８の突部１８ｆ２と２つの凸部１８ｇ（１８ｇ１、１８ｇ２）の３箇所で支えきれなくなっても、このベース部材１８の突部１８ｆ１と２つの凸設部１８ｈ（１８ｈ１、１８ｈ２）の３点で、レンズ保持部材１２をバランス良く支えることとなり、その衝撃をバランス良く受けることができる。
【００６５】
ベース部材１８の対向する端部側には、傾斜部１８ｓが２箇所形成されているので、ヨーク１４の開放側に形成された外壁部１４Ａの端部１４ｔが優先して傾斜部１８ｓに当接するようになる。このことにより、ヨーク１４の内側面１４ｐが台部１８ｄの外周側面１８ｐの所望しない場所に当たってずれることを防止でき、位置決め精度を向上させることができる。
【００６６】
なお、本発明は上記実施形態に限定されるものではなく、例えば次のように変形して実施することができ、これらの実施形態も本発明の技術的範囲に属する。
【００６７】
＜変形例１＞
上記第１実施形態では、磁性体として鉄の粉体を好適に用いたが、鉄の粉体に限らず、磁性を有した磁性粉を用いても良い。
【００６８】
＜変形例２＞
上記第１実施形態では、トップカバー１９を用いて、上側板ばね１６Ａをヨーク１４に固定するようにしたが、この構成に限らす、例えばヨーク１４と磁石１５との間に上側板ばね１６Ａを配設し、接着材Ａ７で上側板ばね１６Ａをヨーク１４に固定するようにしても良い。
【００６９】
＜変形例３＞
上記第１実施形態では、矩形状のヨーク１４を用いて構成したが、矩形状に限らず、例えば８角形等の多角形で構成しても良い。
【００７０】
＜変形例４＞
上記第１実施形態では、弾性部材１６として、上側板ばね１６Ａ及び下側板ばね（１６Ｃ、１６Ｅ）を用いて構成したが、レンズ保持部材１２を光軸方向へ移動可能に支持する部材であれば、これに限らず、他の部材で構成しても良い。
【００７１】
本発明は上記実施の形態に限定されず、本発明の目的の範囲を逸脱しない限りにおいて適宜変更することが可能である。
【符号の説明】
【００７２】
１２    レンズ保持部材
１３    コイル
１４    ヨーク
１４Ａ  外壁部
１４Ｂ  天井部
１４Ｃ  内ヨーク
１４ｋ  開口部
１５、１５Ａ、１５Ｂ、１５Ｃ、１５Ｄ  磁石
１６    弾性部材
Ａ７    接着材
ＳＭ    隙間
１０１  レンズ駆動装置
【図１】
2014228650.tif 000003
【図２】
2014228650.tif 000004
【図３】
2014228650.tif 000005
【図４】
2014228650.tif 000006
【図５】
2014228650.tif 000007
【図６】
2014228650.tif 000008
【図７】
2014228650.tif 000009
【図８】
2014228650.tif 000010
【図９】
2014228650.tif 000011
【図１０】
2014228650.tif 000012
【図１１】
2014228650.tif 000013
【図１２】
2014228650.tif 000014
【図１３】
2014228650.tif 000015
【図１４】
2014228650.tif 000016
【図１５】
2014228650.tif 000017
【図１６】
2014228650.tif 000018
【図１７】
2014228650.tif 000019
【図１８】
2014228650.tif 000020
【図１９】
2014228650.tif 000021
【図２０】
2014228650.tif 000022
【図２１】
2014228650.tif 000023
【図２２】
2014228650.tif 000024